(57)【要約】【課題】パレット自体の形状を変更することなく、電気自動車を円滑に且つ効率良く入庫させることができる機械式駐車装置及び該機械式駐車装置の電気自動車入庫可否検知方法を提供する。【解決手段】差込接続器２１が設けられた幅方向一側を同一方向へ揃えて格納棚５０に格納されるパレット２０と、一側に開かれた充電口蓋３２が移送格納許容領域に収まっているか否か並びに他側が移送格納許容領域に収まっているか否かを検知する第一センサ６０と、他側に開かれた充電口蓋３２が移送格納許容領域に収まっているか否か並びに一側が移送格納許容領域に収まっているか否かを検知する第二センサ７０と、充電口３１が入庫部１０の幅方向何れの側で差込接続器２１を利用するか登録された情報に基づき、電気自動車３０の充電口３１に対し差込接続器２１が登録された側に位置するようパレット２０を呼び出し、第一センサ６０と第二センサ７０の何れかに切り換える制御装置８０とを備える。【選択図】図１
2020153142.tif 000002
【特許請求の範囲】
【請求項１】
充電口が設けられた電気自動車を格納する機械式駐車装置において、
幅方向一側に差込接続器が設けられ且つ該差込接続器が設けられた側を同一方向へ揃えて格納棚に格納されるパレットと、
入庫される電気自動車の幅方向一側が移送格納許容領域に収まっているか否かを検知するよう入庫部の幅方向一側に配設された第一充電側センサと、該第一充電側センサと対をなし且つ入庫される電気自動車の幅方向他側が移送格納許容領域に収まっているか否かを検知するよう入庫部の幅方向他側に配設された第一非充電側センサとを有し、前記第一充電側センサの移送格納許容領域は、前記第一非充電側センサの移送格納許容領域より広く設定される第一センサと、
入庫される電気自動車の幅方向他側が移送格納許容領域に収まっているか否かを検知するよう入庫部の幅方向他側に配設された第二充電側センサと、該第二充電側センサと対をなし且つ充電口のない側が移送格納許容領域に収まっているか否かを検知するよう入庫部の幅方向一側に配設された反第二非充電側センサとを有し、前記第二充電側センサの移送格納許容領域は、前記第二非充電側センサの移送格納許容領域より広く設定される第二センサと、
入庫される電気自動車の充電口が入庫部の幅方向何れの側で差込接続器を利用するか登録された情報に基づき、入庫される電気自動車の充電口に対し差込接続器が登録された側に位置するよう入庫部にパレットを呼び出すと共に、前記第一センサと第二センサの何れか一方を選択して切り換える制御装置と
を備えた機械式駐車装置。
【請求項２】
前記差込接続器に対しパレット中心を基準としてパレットの点対称位置に設けられたダミー差込接続器を備えた請求項１記載の機械式駐車装置。
【請求項３】
前記入庫部のパレットは９０°旋回されて格納棚へ搬送される請求項１又は２記載の機械式駐車装置。
【請求項４】
選択されて切り換えられた前記第一センサと第二センサの何れか一方の検知結果に基づき前記制御装置により、電気自動車が幅方向少なくとも一方の側の移送格納許容領域に収まっていないと判定された場合に警報を発する警報器を備えた請求項１〜３の何れか一項に記載の機械式駐車装置。
【請求項５】
充電口が設けられた電気自動車を格納する機械式駐車装置の電気自動車入庫可否検知方法であって、
入庫される電気自動車の充電口が入庫部の幅方向何れの側で差込接続器を利用するか登録する登録工程と、
該登録工程で登録された情報に基づき、入庫される電気自動車の充電口に対し差込接続器が登録された側に位置するよう入庫部にパレットを呼び出すパレット呼出工程と、
前記登録工程で登録された側における移送格納許容領域を、登録されていない側における移送格納許容領域より広く設定するシフト工程と、
該シフト工程で設定された幅方向両側の移送格納許容領域に電気自動車が収まっているか否かを判定する判定工程と
を含む機械式駐車装置の電気自動車入庫可否検知方法。
【請求項６】
前記判定工程で電気自動車が幅方向両側の移送格納許容領域に収まっていると判定された場合に入庫を許可する入庫許可工程と、
前記判定工程で電気自動車が幅方向少なくとも一方の側の移送格納許容領域に収まっていないと判定された場合に警報を発する入庫拒否工程と
を含む請求項５記載の機械式駐車装置の電気自動車入庫可否検知方法。
【発明の詳細な説明】
【技術分野】
【０００１】
本発明は、機械式駐車装置及び該機械式駐車装置の電気自動車入庫可否検知方法に関するものである。
【背景技術】
【０００２】
一般に、機械式駐車装置は、地上に建設された建屋内部や、地下に形成された空間内部に多数の車両を立体的に格納するものであり、エレベータ式、垂直循環式等、様々な方式の機械式駐車装置が採用されており、利用者として契約者を対象とするマンション等の集合住宅や、不特定多数の利用者を対象とするデパート等の施設に設けられている。
【０００３】
近年、モータを動力源とする車両や、モータと内燃機関とを組み合わせたハイブリッド車等の充電を必要とする車両を含む電気自動車が急速に普及している。
【０００４】
このため、駐車中の時間を利用して前記電気自動車のバッテリに充電できるようにした機械式駐車装置の開発が進められている。
【０００５】
尚、前記機械式駐車装置と関連する一般的技術水準を示すものとしては、例えば、特許文献１及び特許文献２がある。
【先行技術文献】
【特許文献】
【０００６】
【特許文献１】特許第５４５２１０９号公報
【特許文献２】特許第６０２３４３１号公報
【発明の概要】
【発明が解決しようとする課題】
【０００７】
しかしながら、特許文献１に開示された発明では、充電口蓋の開放時に電気自動車をパレット側方に突出させない距離で反充電口側に片寄せして車路に乗り込ませる誘導案内部をパレットに形成しなければならず、パレット自体の形状を変更する必要があった。
【０００８】
又、特許文献２に開示された発明では、パレットの一方の立上り側縁部の幅を他方の立上り側縁部より広く形成し、その分、対応する側のパレットにおける凹状の車路の幅を狭くしなければならず、特許文献１に開示された発明と同様、パレット自体の形状を変更する必要があった。
【０００９】
本発明は、上記従来の問題点に鑑みてなしたもので、パレット自体の形状を変更することなく、電気自動車を円滑に且つ効率良く入庫させることができる機械式駐車装置及び該機械式駐車装置の電気自動車入庫可否検知方法を提供しようとするものである。
【課題を解決するための手段】
【００１０】
本発明は、充電口が設けられた電気自動車を格納する機械式駐車装置において、
幅方向一側に差込接続器が設けられ且つ該差込接続器が設けられた側を同一方向へ揃えて格納棚に格納されるパレットと、
入庫される電気自動車の幅方向一側が移送格納許容領域に収まっているか否かを検知するよう入庫部の幅方向一側に配設された第一充電側センサと、該第一充電側センサと対をなし且つ入庫される電気自動車の幅方向他側が移送格納許容領域に収まっているか否かを検知するよう入庫部の幅方向他側に配設された第一非充電側センサとを有し、前記第一充電側センサの移送格納許容領域は、前記第一非充電側センサの移送格納許容領域より広く設定される第一センサと、
入庫される電気自動車の幅方向他側が移送格納許容領域に収まっているか否かを検知するよう入庫部の幅方向他側に配設された第二充電側センサと、該第二充電側センサと対をなし且つ充電口のない側が移送格納許容領域に収まっているか否かを検知するよう入庫部の幅方向一側に配設された第二非充電側センサとを有し、前記第二充電側センサの移送格納許容領域は、前記第二非充電側センサの移送格納許容領域より広く設定される第二センサと、
入庫される電気自動車の充電口が入庫部の幅方向何れの側で差込接続器を利用するか登録された情報に基づき、入庫される電気自動車の充電口に対し差込接続器が登録された側に位置するよう入庫部にパレットを呼び出すと共に、前記第一センサと第二センサの何れか一方を選択して切り換える制御装置と
を備えた機械式駐車装置に係るものである。
【００１１】
前記機械式駐車装置においては、前記差込接続器に対しパレット中心を基準としてパレットの点対称位置に設けられたダミー差込接続器を備えることができる。
【００１２】
又、前記機械式駐車装置において、前記入庫部のパレットは９０°旋回されて格納棚へ搬送されることが好ましい。
【００１３】
更に又、前記機械式駐車装置においては、選択されて切り換えられた前記第一センサと第二センサの何れか一方の検知結果に基づき前記制御装置により、電気自動車が幅方向少なくとも一方の側の移送格納許容領域に収まっていないと判定された場合に警報を発する警報器を備えることができる。
【００１４】
一方、本発明は、充電口が設けられた電気自動車を格納する機械式駐車装置の電気自動車入庫可否検知方法であって、
入庫される電気自動車の充電口が入庫部の幅方向何れの側で差込接続器を利用するか登録する登録工程と、
該登録工程で登録された情報に基づき、入庫される電気自動車の充電口に対し差込接続器が登録された側に位置するよう入庫部にパレットを呼び出すパレット呼出工程と、
前記登録工程で登録された側における移送格納許容領域を、登録されていない側における移送格納許容領域より広く設定するシフト工程と、
該シフト工程で設定された幅方向両側の移送格納許容領域に電気自動車が収まっているか否かを判定する判定工程と
を含む機械式駐車装置の電気自動車入庫可否検知方法に係るものである。
【００１５】
前記機械式駐車装置の電気自動車入庫可否検知方法においては、前記判定工程で電気自動車が幅方向両側の移送格納許容領域に収まっていると判定された場合に入庫を許可する入庫許可工程と、
前記判定工程で電気自動車が幅方向少なくとも一方の側の移送格納許容領域に収まっていないと判定された場合に警報を発する入庫拒否工程と
を含むことが好ましい。
【発明の効果】
【００１６】
本発明の機械式駐車装置及び該機械式駐車装置の電気自動車入庫可否検知方法によれば、パレット自体の形状を変更することなく、電気自動車を円滑に且つ効率良く入庫させることができるという優れた効果を奏し得る。
【図面の簡単な説明】
【００１７】
【図１】本発明の機械式駐車装置の実施例を示す概要構成図であって、電気自動車の右側に充電口がある場合を示す図である。
【図２】本発明の機械式駐車装置の実施例を示す概要構成図であって、電気自動車の左側に充電口がある場合を示す図である。
【図３】本発明の機械式駐車装置の電気自動車入庫可否検知方法の実施例を示すフローチャートである。
【発明を実施するための形態】
【００１８】
以下、本発明の実施の形態を添付図面を参照して説明する。
【００１９】
図１〜図３は本発明の機械式駐車装置及び該機械式駐車装置の電気自動車入庫可否検知方法の実施例である。
【００２０】
図１及び図２に示す機械式駐車装置は、エレベータ式の駐車装置であって、入庫部１０のパレット２０は、電気自動車３０が搭載された状態で図示していないターンテーブル等の旋回装置により９０°旋回され、搬器４０により上昇（地下式の場合は下降）されて横移動され、格納棚５０へ搬送されるようになっている。尚、前記入庫部１０は、出庫部も兼ねており、扉１１が開かれて車両の入出庫が行われるようになっている。
【００２１】
本実施例の場合、前記パレット２０に加え、第一センサ６０と、第二センサ７０と、制御装置８０と、警報器９０とを備えている。
【００２２】
前記パレット２０は、充電口３１が幅方向一側に設けられた電気自動車３０のために、幅方向一側に差込接続器２１が設けられており、該差込接続器２１が設けられた側を同一方向へ揃えて格納棚５０に格納されるようになっている。これに伴い、前記差込接続器２１が設けられた側のクリアランスαは、充電時に充電口蓋３２が開かれることを見込んで、該充電口蓋３２が搬器４０や他の構造物と干渉しないよう、前記差込接続器２１が設けられていない側のクリアランスβより広く設定されている。又、前記差込接続器２１に対しパレット中心Ｏを基準としてパレット２０の点対称位置には、ダミー差込接続器２２が設けられている。該ダミー差込接続器２２は、外形のみが差込接続器２１と同一で充電機能を有していないものである。更に、前記入庫部１０の床板１２には、パレット２０が収まる開口１３と、前記差込接続器２１及びダミー差込接続器２２が収まる切欠部１４、１５とが形成されている。尚、前記差込接続器２１には、充電コード２３が接続されるようになっている。因みに、前記電気自動車３０の充電口３１は、必ずしも幅方向一側に設けられているわけではなく、前後方向一側に設けられていることもある。
【００２３】
前記第一センサ６０は、第一充電側センサ６１と、第一非充電側センサ６２とを有している。図１に示す如く、前記第一充電側センサ６１は、入庫される電気自動車３０の幅方向一側（充電口蓋３２が開かれる側）が移送格納許容領域に収まっているか否かを検知するよう入庫部１０の幅方向一側に配設されている。前記第一非充電側センサ６２は、前記第一充電側センサ６１と対をなし且つ入庫される電気自動車３０の幅方向他側（充電口３１のない側）が移送格納許容領域に収まっているか否かを検知するよう入庫部１０の幅方向他側に配設されている。前記第一充電側センサ６１の配設位置は、充電口蓋３２が開かれることを見込んで移送格納許容領域が反対側より広く設定されるよう、図１に示す如く、右側にシフトされている。尚、図１及び図２に示す第一センサ６０の第一充電側センサ６１及び第一非充電側センサ６２はそれぞれ、光源を内蔵し検出媒体となるレーザ光を投射する投光器６１ａ，６２ａと、該投光器６１ａ，６２ａから投射されるレーザ光を受光して電気信号に変換する受光器６１ｂ，６２ｂとを対向させて配置してなるレーザセンサを採用することができる。但し、前記第一充電側センサ６１及び第一非充電側センサ６２は、レーザセンサに限定されるものではなく、空間の物理的な形状データを出力することができる走査型の側域センサや他の形式のセンサを採用することもできる。
【００２４】
前記第二センサ７０は、第二充電側センサ７１と、第二非充電側センサ７２とを有している。図２に示す如く、前記第二充電側センサ７１は、入庫される電気自動車３０の幅方向他側（充電口蓋３２が開かれる側）が移送格納許容領域に収まっているか否かを検知するよう入庫部１０の幅方向他側に配設されている。前記第二非充電側センサ７２は、前記第二充電側センサ７１と対をなし且つ入庫される電気自動車３０の幅方向他側（充電口３１のない側）が移送格納許容領域に収まっているか否かを検知するよう入庫部１０の幅方向一側に配設されている。前記第二充電側センサ７１の配設位置は、充電口蓋３２が開かれることを見込んで移送格納許容領域が反対側より広く設定されるよう、図２に示す如く、左側にシフトされている。尚、図１及び図２に示す第二センサ７０の第二充電側センサ７１及び第二非充電側センサ７２に関してもそれぞれ、前記第一センサ６０の第一充電側センサ６１及び第一非充電側センサ６２と同様、光源を内蔵し検出媒体となるレーザ光を投射する投光器７１ａ，７２ａと、該投光器７１ａ，７２ａから投射されるレーザ光を受光して電気信号に変換する受光器７１ｂ，７２ｂとを対向させて配置してなるレーザセンサを採用することができる。但し、第二充電側センサ７１及び第二非充電側センサ７２に関しても、レーザセンサに限定されるものではなく、空間の物理的な形状データを出力することができる走査型の側域センサや他の形式のセンサを採用することができる。
【００２５】
前記制御装置８０は、入庫される電気自動車３０の充電口３１が入庫部１０の幅方向何れの側で差込接続器２１を利用するか登録された情報に基づき、図１或いは図２に示す如く、入庫される電気自動車３０の充電口３１と差込接続器２１とが同じ側に位置するよう入庫部１０にパレット２０を呼び出すと共に、前記第一センサ６０と第二センサ７０の何れか一方を選択して切り換えるようになっている。入庫される電気自動車３０の充電口３１が幅方向何れの側に設けられているかの登録については、例えば、機械式駐車装置の操作盤の画面上に、図１及び図２に示す如く、「充電口３１の位置を選択してください。」（或いは、「差込接続器を利用する側を選択してください。」等）というメッセージを表示し、利用者が「Ｒ」又は「Ｌ」のボタンを押して選択することにより行われるようになっている。但し、マンション等の集合住宅の場合、利用者は、管理者と機械式駐車装置の利用契約を行っているため、利用者が所有する車両が電気自動車３０である場合、契約時に充電口３１が幅方向何れの側に設けられているかの情報を管理者が取得し制御装置８０に入力しておくようにしても良い。又、前記電気自動車３０の充電口３１が幅方向一側ではなく前後方向一側に設けられているような場合、入庫時に利用者が入庫部１０の幅方向何れの側で差込接続器２１を利用するか選択するか、或いは、契約時に予め差込接続器２１を利用する側を管理者に伝えておけば良い。
【００２６】
前記警報器９０は、選択されて切り換えられた前記第一センサ６０と第二センサ７０の何れか一方の検知結果に基づき前記制御装置８０により、電気自動車３０が幅方向少なくとも一方の側の移送格納許容領域に収まっていないと判定された場合に警報を発するようになっている。
【００２７】
一方、本実施例における機械式駐車装置の電気自動車入庫可否検知方法は、図３に示す如く、登録工程と、パレット呼出工程と、シフト工程と、判定工程とを含み、更に、入庫許可工程と、入庫拒否工程とを含んでいる。
【００２８】
前記登録工程は、入庫される電気自動車３０が入庫部１０の幅方向何れの側で差込接続器２１を利用するか登録する工程である（図３のステップＳ１０参照）。
【００２９】
前記パレット呼出工程は、前記登録工程で登録された情報に基づき、図１或いは図２に示す如く、入庫される電気自動車３０の充電口３１に対し差込接続器２１が登録された側に位置するよう入庫部１０にパレット２０を呼び出す工程である（図３のステップＳ２０参照）。
【００３０】
前記シフト工程は、前記登録工程で登録された側における移送格納許容領域を、登録されていない側における移送格納許容領域より広く設定する工程である（図３のステップＳ３０参照）。
【００３１】
前記判定工程は、前記シフト工程で設定された幅方向両側の移送格納許容領域に電気自動車３０が収まっているか否かを判定する工程である（図３のステップＳ４０参照）。
【００３２】
前記入庫許可工程は、前記判定工程で電気自動車３０が幅方向両側の移送格納許容領域に収まっていると判定された場合に入庫を許可する工程である（図３のステップＳ５０参照）。
【００３３】
前記入庫拒否工程は、前記判定工程で電気自動車３０が幅方向少なくとも一方の側の移送格納許容領域に収まっていないと判定された場合に警報を発する工程である（図３のステップＳ６０参照）。
【００３４】
次に、上記実施例の作用を説明する。
【００３５】
利用者が電気自動車３０を機械式駐車装置に入庫する際には、先ず、入庫される電気自動車３０が入庫部１０の幅方向何れの側で差込接続器２１を利用するか登録される（図３のステップＳ１０参照）。これが登録工程となる。
【００３６】
入庫される電気自動車３０の充電口３１が幅方向右側に設けられている場合、利用者は、図１に示す如く、機械式駐車装置の操作盤の画面上に表示された「充電口３１の位置を選択してください。」というメッセージに対し、「Ｒ」のボタンを押す。但し、マンション等の集合住宅の機械式駐車装置であって、契約時に充電口３１が幅方向何れの側に設けられているかの情報を管理者が取得し制御装置８０に予め入力してある場合には、利用者が入庫の度に登録を行う必要はない。又、前記電気自動車３０の充電口３１が幅方向一側ではなく前後方向一側に設けられている場合には、入庫時に利用者が入庫部１０の幅方向何れの側で差込接続器２１を利用するか選択したり、或いは、契約時に予め差込接続器２１を利用する側を管理者に伝えたりしておく。
【００３７】
前記登録工程で登録された情報に基づき、制御装置８０により、図１に示す如く、入庫される電気自動車３０の充電口３１に対し差込接続器２１が登録された側に位置するよう入庫部１０にパレット２０が呼び出される（図３のステップＳ２０参照）。これがパレット呼出工程となる。
【００３８】
前記入庫部１０にパレット２０が呼び出されると、扉１１が開いて利用者は、電気自動車３０をパレット２０の上に移動させる。この後、利用者は、電気自動車３０から降り、充電が必要な場合には、充電口蓋３２を開けて充電口３１に充電コード２３の一端を接続すると共に、該充電コード２３の他端を差込接続器２１に接続する。接続が完了すると、利用者は、機械式駐車装置から退出し、操作盤の入庫ボタン（図示せず）を押す等して入庫完了操作を行う。
【００３９】
利用者が入庫完了操作を行うと、前記登録工程で登録された側における移送格納許容領域が、登録されていない側における移送格納許容領域より広く設定される（図３のステップＳ３０参照）。これがシフト工程となる。該シフト工程は、制御装置８０が、前記第一センサ６０と第二センサ７０の何れか一方を選択して切り換えることによって行われる。図１においては、入庫される電気自動車３０の充電口３１が幅方向右側に設けられているため、第一センサ６０が選択される。
【００４０】
前記第一センサ６０が選択されると、入庫部１０の幅方向一側（図１の例では右側）に配設されている第一充電側センサ６１により、開かれた充電口蓋３２が移送格納許容領域に収まっているか否かが検知されると共に、入庫部１０の幅方向他側（図１の例では左側）に配設されている第一非充電側センサ６２により、充電口３１のない側が移送格納許容領域に収まっているか否かが検知される。即ち、前記シフト工程で設定された幅方向両側の移送格納許容領域に電気自動車３０が収まっているか否かが制御装置８０によって判定される（図３のステップＳ４０参照）。これが判定工程となる。
【００４１】
前記判定工程で電気自動車３０が幅方向両側の移送格納許容領域に収まっていると判定された場合には、入庫が許可される（図３のステップＳ５０参照）。これが入庫許可工程となる。入庫が許可されると、扉１１が閉じ、入庫部１０のパレット２０は、電気自動車３０が搭載された状態で図示していないターンテーブル等の旋回装置により、図１に示す如く、時計回りに９０°旋回され、搬器４０により上昇（地下式の場合は下降）されて横移動され、格納棚５０へ搬送される。
【００４２】
これに対し、前記判定工程で電気自動車３０が幅方向少なくとも一方の側の移送格納許容領域に収まっていないと判定された場合には、警報器９０から警報が発せられる（図３のステップＳ６０参照）。これが入庫拒否工程となる。入庫が拒否された場合、扉１１は開いたまま閉じられず、利用者は、機械式駐車装置の内部に再度入り、充電口蓋３２を閉じたり、或いは電気自動車３０をパレット２０上に載置し直したりすることができる。この後、前記判定工程に戻り、電気自動車３０が幅方向両側の移送格納許容領域に収まっていると判定されれば、前記入庫許可工程に移行する。
【００４３】
一方、前記登録工程において、入庫される電気自動車３０の充電口３１が幅方向左側に設けられている場合、利用者は、図２に示す如く、機械式駐車装置の操作盤の画面上に表示された「充電口３１の位置を選択してください。」というメッセージに対し、「Ｌ」のボタンを押す。但し、マンション等の集合住宅の機械式駐車装置であって、契約時に充電口３１が幅方向何れの側に設けられているかの情報を管理者が取得し制御装置８０に予め入力してある場合に、利用者が入庫の度に登録を行う必要がないことは、前述と同様である。又、前記電気自動車３０の充電口３１が幅方向一側ではなく前後方向一側に設けられている場合に、入庫時に利用者が入庫部１０の幅方向何れの側で差込接続器２１を利用するか選択したり、或いは、契約時に予め差込接続器２１を利用する側を管理者に伝えたりしておくことも、前述と同様である。
【００４４】
パレット呼出工程においては、前記登録工程で登録された情報に基づき、制御装置８０により、図２に示す如く、入庫される電気自動車３０の充電口３１に対し差込接続器２１が登録された側に位置するよう入庫部１０にパレット２０が呼び出される（図３のステップＳ２０参照）。
【００４５】
前記入庫部１０にパレット２０が呼び出されると、扉１１が開いて利用者は、電気自動車３０をパレット２０の上に移動させる。この後、利用者は、電気自動車３０から降り、充電が必要な場合には、充電口蓋３２を開けて充電口３１に充電コード２３の一端を接続すると共に、該充電コード２３の他端を差込接続器２１に接続する。接続が完了すると、利用者は、機械式駐車装置から退出し、操作盤の入庫ボタン（図示せず）を押す等して入庫完了操作を行う。
【００４６】
利用者が入庫完了操作を行うと、シフト工程として、前記登録工程で登録された側における移送格納許容領域が、登録されていない側における移送格納許容領域より広く設定される（図３のステップＳ３０参照）。前記シフト工程においては、図２に示す如く、入庫される電気自動車３０の充電口３１が幅方向左側に設けられているため、制御装置８０により第二センサ７０が選択される。
【００４７】
前記第二センサ７０が選択されると、入庫部１０の幅方向他側（図２の例では左側）に配設されている第二充電側センサ７１により、開かれた充電口蓋３２が移送格納許容領域に収まっているか否かが検知されると共に、入庫部１０の幅方向一側（図２の例では右側）に配設されている第二非充電側センサ７２により、充電口３１のない側が移送格納許容領域に収まっているか否かが検知される。即ち、前記シフト工程で設定された幅方向両側の移送格納許容領域に電気自動車３０が収まっているか否かが、判定工程において、制御装置８０により判定される（図３のステップＳ４０参照）。
【００４８】
前記判定工程で電気自動車３０が幅方向両側の移送格納許容領域に収まっていると判定された場合には、前述と同様、入庫許可工程として、入庫が許可される（図３のステップＳ５０参照）。入庫が許可されると、扉１１が閉じ、入庫部１０のパレット２０は、電気自動車３０が搭載された状態で図示していないターンテーブル等の旋回装置により、図２に示す如く、反時計回りに９０°旋回され、搬器４０により上昇（地下式の場合は下降）されて横移動され、格納棚５０へ搬送される。
【００４９】
これに対し、前記判定工程で電気自動車３０が幅方向少なくとも一方の側の移送格納許容領域に収まっていないと判定された場合には、前述と同様、入庫拒否工程として警報器９０から警報が発せられる（図３のステップＳ６０参照）。入庫が拒否された場合、利用者は、充電口蓋３２を閉じたり、或いは電気自動車３０をパレット２０上に載置し直したりすることができる。この後、前記判定工程に戻り、電気自動車３０が幅方向両側の移送格納許容領域に収まっていると判定されれば、前記入庫許可工程に移行する。
【００５０】
本実施例の場合、特許文献１、２に開示された発明とは異なり、パレット２０自体の形状を変更しなくて済む。
【００５１】
又、仮に、前記パレット２０を、差込接続器２１が設けられた側を同一方向へ揃えずに格納棚５０に格納したとすると、充電時に開かれる充電口蓋３２が搬器４０や他の構造物と干渉しないようにするためには、搬器４０に搭載されたパレット２０の両側と、格納棚５０に格納されたパレット２０の両側とにそれぞれクリアランスαを設定する必要が生じる。この場合、トータルで２α×３＝６αに相当する寸法だけ機械式駐車装置の幅（図１及び図２では上下方向の長さ）を広げなければならず、その分、機械式駐車装置の容積も増加する。しかし、本実施例の場合、前記パレット２０は、差込接続器２１が設けられた側を同一方向へ揃えて格納棚５０に格納されるようになっているため、図１及び図２に示す如く、トータルでα×３＋β＝３α＋β<４α（β<αであるため）に相当する寸法があれば、充電時に開かれる充電口蓋３２が搬器４０や他の構造物と干渉することはなく、機械式駐車装置の幅を狭め、その分、機械式駐車装置の容積も減少させることが可能となる。
【００５２】
こうして、パレット２０自体の形状を変更することなく、電気自動車３０を円滑に且つ効率良く入庫させることができる。
【００５３】
そして、本実施例の場合、前記差込接続器２１に対しパレット中心Ｏを基準としてパレット２０の点対称位置に設けられたダミー差込接続器２２を備えている。このように構成すると、図１に示す如く、前記入庫部１０の床板１２に形成された開口１３にパレット２０が収まった状態で、切欠部１４には差込接続器２１が収まり、切欠部１５はダミー差込接続器２２によって塞がれる。又、図２に示す如く、前記入庫部１０の床板１２に形成された開口１３にパレット２０が収まった状態で、切欠部１５には差込接続器２１が収まり、切欠部１４はダミー差込接続器２２によって塞がれる。仮に、ダミー差込接続器２２が設けられていないと、差込接続器２１が切欠部１４に収まった状態では切欠部１５が開放されたままとなり、差込接続器２１が切欠部１５に収まった状態では切欠部１４が開放されたままとなる。切欠部１５や切欠部１４が開放されたまま放置されていると、利用者が物を落としたり、足を取られたりする可能性も全くないとは言えない。しかし、本実施例の場合、切欠部１５や切欠部１４が開放されたまま放置されることが避けられ、利用者が物を落としたり、足を取られたりする心配がない。又、ダミー差込接続器２２は、差込接続器２１と異なり、電気部品等は一切不要で、費用が嵩む心配もない。
【００５４】
又、本実施例の場合、前記入庫部１０のパレット２０は９０°旋回されて格納棚５０へ搬送される。このように構成すると、電気自動車３０の充電口３１に対応するようパレット２０の差込接続器２１が入庫部１０において何れの側に配設されていても、図１に示す如く、時計回りに９０°、或いは、図２に示す如く、反時計回りに９０°旋回させれば、パレット２０の差込接続器２１が設けられた幅方向一側を同一方向へ揃えて格納棚５０に格納することが可能となり、効率を高める上で有効となる。
【００５５】
更に又、本実施例の場合、選択されて切り換えられた前記第一センサ６０と第二センサ７０の何れか一方の検知結果に基づき前記制御装置８０により、電気自動車３０が幅方向少なくとも一方の側の移送格納許容領域に収まっていないと判定された場合に警報を発する警報器９０を備えている。このように構成すると、利用者は、警報器９０から発せられる警報により、入庫が拒否されたことを認識し、入庫が許可されるように対応することができる。
【００５６】
一方、本実施例において、充電口３１が設けられた電気自動車３０を格納する機械式駐車装置の電気自動車入庫可否検知方法は、入庫される電気自動車３０の充電口３１が入庫部１０の幅方向何れの側で差込接続器２１を利用するか登録する登録工程と、該登録工程で登録された情報に基づき、入庫される電気自動車３０の充電口３１に対し差込接続器２１が登録された側に位置するよう入庫部１０にパレット２０を呼び出すパレット呼出工程と、前記登録工程で登録された側における移送格納許容領域を、登録されていない側における移送格納許容領域より広く設定するシフト工程と、該シフト工程で設定された幅方向両側の移送格納許容領域に電気自動車３０が収まっているか否かを判定する判定工程とを含んでいる。このような工程を含む形で電気自動車３０の入庫可否検知を行うようにすると、パレット２０自体の形状を変更することなく、電気自動車３０を円滑に且つ効率良く入庫させることができる。
【００５７】
更に、本実施例における機械式駐車装置の電気自動車入庫可否検知方法においては、前記判定工程で電気自動車３０が幅方向両側の移送格納許容領域に収まっていると判定された場合に入庫を許可する入庫許可工程と、前記判定工程で電気自動車３０が幅方向少なくとも一方の側の移送格納許容領域に収まっていないと判定された場合に警報を発する入庫拒否工程とを含むようになっている。このように更に入庫許可工程と入庫拒否工程とを含む形で電気自動車３０の入庫可否検知を行うようにすると、利用者は、入庫が許可されたのか或いは拒否されたのかを認識し、警報が発せられて入庫が拒否された場合には、入庫が許可されるように対応することができる。
【００５８】
尚、本発明の機械式駐車装置及び該機械式駐車装置の電気自動車入庫可否検知方法は、上述の実施例にのみ限定されるものではなく、本発明の要旨を逸脱しない範囲内において種々変更を加え得ることは勿論である。
【符号の説明】
【００５９】
１０     入庫部
１１     扉
１２     床板
１３     開口
１４     切欠部
１５     切欠部
２０     パレット
２１     差込接続器
２２     ダミー差込接続器
２３     充電コード
３０     電気自動車
３１     充電口
３２     充電口蓋
４０     搬器
５０     格納棚
６０     第一センサ
６１     第一充電側センサ
６１ａ   投光器
６１ｂ   受光器
６２     第一非充電側センサ
６２ａ   投光器
６２ｂ   受光器
７０     第二センサ
７１     第二充電側センサ
７１ａ   投光器
７１ｂ   受光器
７２     第二非充電側センサ
７２ａ   投光器
７２ｂ   受光器
８０     制御装置
９０     警報器
Ｏ     パレット中心
α     クリアランス
β     クリアランス
【図１】
2020153142.tif 000003
【図２】
2020153142.tif 000004
【図３】
2020153142.tif 000005